(57)【要約】【課題】            開閉体表裏部に着脱可能に配置されることによって開閉体の開放動作性を良好に維持し、開閉体が強風等に煽られることに起因して振動や騒音を発生することや、開閉体や開閉体近傍の物体を損傷させることを抑制することができる緩衝部材、および該緩衝部材を用いる開閉装置を提供する。【解決手段】        開閉装置１の開閉体１０がその厚さ方向の物体に当接した場合の衝撃を緩和する緩衝部材４０であって，開閉体１０の表部または裏部に対し着脱可能な着脱部４１と、同表部または同裏部から開閉体厚さ方向へ突出するように形成された弾性部４２とを一体的に具備した。【選択図】          図１
2008069560.tif 000002
【特許請求の範囲】
【請求項１】
開閉装置の開閉体がその厚さ方向の物体に当接した場合の衝撃を緩和する緩衝部材であって、
開閉体の表部または裏部に対し着脱可能な着脱部と、同表部または同裏部から開閉体厚さ方向へ突出するように形成された弾性部とを一体的に具備したことを特徴とする緩衝部材。
【請求項２】
少なくとも上記弾性部を、開閉体の表部または裏部に沿うように長尺状に形成したことを特徴とする請求項１記載の緩衝部材。
【請求項３】
上記着脱部は、磁性体からなる開閉体に対し吸着するように、磁石を含む材料から形成されていることを特徴とする請求項１又は２記載の緩衝部材。
【請求項４】
上記着脱部は、開閉体を構成するスラットの凹部を跨ぐように形成されていることを特徴とする請求項３記載の緩衝部材。
【請求項５】
上記緩衝部材を開閉体に着脱するようにした開閉装置であって、
前記開閉体をその開放方向側で収納する収納部を備え、
この収納部は、前記開閉体を収納するための収納口を、開放動作した際の前記開閉体および該開閉体に装着された上記緩衝部材を収納可能なように形成していることを特徴とする請求項１乃至４何れか１項記載の緩衝部材を用いる開閉装置。
【発明の詳細な説明】
【技術分野】
【０００１】
本発明は、シャッター装置等の開閉装置（オーバーヘッドドアを含む）における開閉体に装着されて、開閉体がその厚さ方向の物体に当接した際の衝撃を緩和する緩衝部材、および該緩衝部材を用いる開閉装置に関するものである。
【背景技術】
【０００２】
従来、この種の発明には、例えば特許文献１に記載された開閉装置のように、開閉体（シャッターカーテン５０）を構成するスラット（６１）の凹部（収納室６５ｂ）に、移動抑制手段（７１）を固定するようにしたものがある。
移動抑制手段（７１）は、前記スラット（６１）の凹部（収納室６５ｂ）に固定された支軸部（７０）を中心にして、板状部（７２）を開閉体厚さ方向へ突出した突出位置と開閉体に対し略平行する非突出位置との間で回動させるようにしている。
この開閉装置では、強風時には、移動抑制手段（７１）を前記突出位置にして、板状部（７２）の突端を網戸（２３）の縦框（３４）に当接させることで、開閉体（シャッターカーテン５０）が風圧で撓み縦框（３４）に直接接触するようなことを防ぐ。
【０００３】
しかしながら、上記従来技術によれば、移動抑制手段（７１）に対し固定した構造であるため、強風の発生等のない通常使用時においては、閉鎖状態にある開閉体（シャッターカーテン５０）の外観上の体裁が移動抑制手段（７１）により損なわれてしまうおそれがある。
更に、同従来技術によれば、非突出位置に戻し忘れた移動抑制手段（７１）が開閉体上方のまぐさ部等に当接し、開閉体（シャッターカーテン５０）の開放動作が阻害されたり、まぐさ部が傷付いてしまったり等するおそれもある。
【特許文献１】特開２００３−１９３７６９号公報
【発明の開示】
【発明が解決しようとする課題】
【０００４】
本発明は上記従来事情に鑑みてなされたものであり、その課題とする処は、開閉体表裏部に着脱可能に配置されることによって開閉体の開放動作性を良好に維持し、開閉体が強風等に煽られることに起因して振動や騒音を発生することや、開閉体や開閉体近傍の物体を損傷させることを抑制することができる緩衝部材、および該緩衝部材を用いる開閉装置を提供することにある。
【課題を解決するための手段】
【０００５】
上記課題を解決するために第一の発明では、開閉装置の開閉体がその厚さ方向の物体に当接した場合の衝撃を緩和する緩衝部材であって、開閉体の表部または裏部に対し着脱可能な着脱部と、同表部または同裏部から開閉体厚さ方向へ突出するように形成された弾性部とを一体的に具備したことを特徴とする。
【０００６】
ここで、本発明に係わる緩衝部材の装着対象物である開閉装置は、空間を仕切るようにして開閉体を開閉動作させる開閉装置であればよく、この開閉装置には、開閉体が閉鎖動作のみを行うように用いられる態様（例えば、非常時のみ遮煙や遮炎等の目的で閉鎖されるシャッター装置等）、開閉体が開放動作と閉鎖動作との双方を行うように用いられる態様等を含む。更に、この開閉装置には、開閉体を巻取軸により巻き取ったり繰り出したりすることで開閉させる態様や、開閉体を巻取ることなく繰り出したり収納したりする態様等を含む。
【０００７】
また、上記開閉体には、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられる。
【０００８】
また、本発明の緩衝部材における上記着脱部は、開閉体の表部と裏部との内の少なくとも一方に対し着脱可能な構成であればよく、すなわち、この着脱部は、開閉体の表部と裏部との内の一方のみに対し着脱可能な態様であってもよいし、開閉体の表部と裏部との内のどちらにでも着脱可能な態様であってもよい。
この着脱部の具体例としては、磁力によって開閉体に吸着するようにした態様や、開閉体に対し嵌脱するようにした態様、面ファスナー（ベルベットファスナーとも呼称される）によって開閉体に対し係脱するようにした態様などが挙げられる。
【０００９】
また、上記弾性部は、開閉体が厚さ方向の物体に当接する際に、開閉体と前記物体との間に位置して、衝撃を緩和するものであればよい。
この弾性部の具体例としては、ゴムや、弾性を有する合成樹脂、発泡体などが挙げられ、好ましくは中空状に形成される。
【００１０】
また、上記着脱部と上記弾性部とを一体にする手段は、接着や嵌合、ねじ止め、リベット止め等、周知のいずれの構成であってもよい。
また、これら着脱部と弾性部は、弾性を有する磁石（例えばゴム磁石等）から構成した場合のように、元々一体の部材であってもよい。
【００１１】
また、第二の発明では、少なくとも上記弾性部を、開閉体の表部または裏部に沿うように長尺状に形成したことを特徴とする。
【００１２】
ここで、上記長尺状とは、例えば、開閉体を開閉方向へ案内するために該開閉体の両側にガイドレールを備えた開閉装置において、両ガイドレール間の寸法（開閉体をスラットより構成した場合には両ガイドレール間における該スラットの長手方向寸法）よりも若干短い寸法とするのが好ましい。
【００１３】
また、第三の発明では、上記着脱部は、磁性体からなる開閉体に対し吸着するように、磁石を含む材料から形成されていることを特徴とする。
【００１４】
また、第四の発明では、上記着脱部は、開閉体を構成するスラットの凹部を跨ぐように形成されていることを特徴とする。
【００１５】
この第四の発明における着脱部は、該着脱部の長さ方向において上記凹部を跨ぐものであってもよいし、幅方向において上記凹部を跨ぐものであってもよいが、より好ましくは、長さ方向と幅方向の両方向において上記凹部を跨ぐものとされる。
【００１６】
また、第五の発明では、上記緩衝部材を開閉体に着脱するようにした開閉装置であって、前記開閉体をその開放方向側で収納する収納部を備え、この収納部は、前記開閉体を収納するための収納口を、開放動作した際の前記開閉体および該開閉体に装着された上記緩衝部材を収納可能なように形成していることを特徴とする。
【００１７】
この第五の発明における収納部は、上記開閉体をその開放方向側で巻き取って収納するようにした態様であってもよいし、上記開閉体を巻き取ることなく開放方向側へ収納する態様であってもよい。
また、上記収納口の具体例としては、上記開閉体に上記緩衝部材を装着した状態で、これらの開閉体厚さ方向の寸法よりも大きい幅寸法（開閉体厚さ方向の寸法）に形成される。
【００１８】
なお、本明細書中において「開閉体厚さ方向」とは、閉鎖状態の上記開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
【発明の効果】
【００１９】
本発明は、以上説明したように構成されているので、以下に記載されるような作用効果を奏する。
第一の発明によれば、開閉体に装着された際には、開閉体が強風などによって厚さ方向へ撓んだ場合に、その撓んだ開閉体と例えば網戸などの物体との間に弾性部を介在させて、開閉体が前記物体に直接当接するのを阻むことができる。ひいては、開閉体が強風などに煽れることに起因して、振動や騒音を発生したり、開閉体や前記物体が傷付いたりするのを、抑制することができる。
しかも、不使用時には、当該緩衝部材を取り外して、開閉体の外観上の体裁を向上することができる。
その上、当該緩衝部材は、不使用時に外し忘れたとしても、開閉体が開放動作した際にまぐさ部等との当接により外れる可能性がある。そのため、当該緩衝部材により開閉体の開放動作が妨げられたりまぐさ部等が傷付いたり等するような不具合を、低減することができる。
【００２０】
更に、第二の発明によれば、弾性部が長尺状であるため、その弾性部を網戸の縦框等の特定の物体に容易に対応させて配置することができ、例えば、網戸等が途中の開閉位置にあり、該網戸の縦框が開閉体幅方向の中央近傍に位置しない場合であっても、その網戸の縦框に対し交差するように弾性部を配置すれば、その弾性部を網戸に当接させ易くすることができる。
【００２１】
更に、第三の発明によれば、着脱部を開閉体に対し磁性的に吸着させる構造であるため、当該緩衝部材を開閉体に着脱する作業を容易に行うことができる上、開閉体に対し当該緩衝部材が装着される位置の調整を容易に行うことができる。
しかも、不使用時の当該緩衝部材を、例えば全開状態にある開閉体の下端面（より具体的には水切り部材等の下端面）など、磁性体に吸着させて保管することができる。
【００２２】
更に、第四の発明によれば、スラットの凹部寸法の制約を受けることなく、当該緩衝部材を容易に開閉体に装着することができる。
すなわち、仮に着脱部をスラットの凹部に嵌め合わせる構造とした場合には、その凹部に対し当該弾性部材を装着する際に、スラットの凹部の幅寸法のばらつき等により装着不良を生じるおそれがある。また、スラットの凹部の幅寸法は開閉体によって異なるため、その凹部寸法に応じて当該緩衝部材を用意する必要がある。
本発明によれば、前記のような装着不良を生じない上、凹部の幅寸法の異なる開閉体であっても装着が容易である。
しかも、開閉体における表部と裏部との何れに対しても容易に装着することができる上、開閉体の表部または裏部の何処であっても装着し易く、その装着位置の制限が少ない。
【００２３】
更に、第五の発明によれば、当該緩衝部材を装着した状態の開閉体が開放動作して収納部に収納される際に、当該緩衝部材を、収納部の収納口に通過させて、開閉体と共に収納部内へ収納することができる。
したがって、当該緩衝部材の収納性を向上することができる上、外し忘れた場合の当該緩衝部材により開閉体の開放動作が妨げられたり収納口が傷付いたり等するような不具合を、低減することができる。
【発明を実施するための最良の形態】
【００２４】
以下、本発明の実施の形態を図面に基づいて説明する。
本発明に係わる緩衝部材は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置に対し装着可能である。本実施の形態では、特に、窓部の屋外側に配設される窓用シャッター装置に対し、本発明に係わる緩衝部材を着脱可能に装着した一例について説明する。
【００２５】
窓用シャッター装置である開閉装置１は、上下方向へスライドして開閉する開閉体１０と、該開閉体１０の幅方向の両端部を開閉方向へ案内する左右のガイドレール２０，２０と、開閉体１０の開放方向側で開閉体１０を収納する収納部３０（図４参照）とを備え、構造物開口部に設置された窓サッシＡの屋外側（図１によれば上側）に固定されている（図１参照）。
そして、この開閉装置１における開閉体１０の屋内側（図１によれば下側）には、着脱可能に緩衝部材４０が装着されている。
【００２６】
開閉体１０は、横長略矩形状の金属板を略凹状に曲げ加工してなるスラット１１ａを、上下に隣接するスラット間で回動するように複数連接することで、開閉体本体１１を構成し、この開閉体本体１１の下方側の端部に、図示しない下枠部材に当接させるための座板部材１２（図２及び図３参照）を、開閉体幅方向にわたって接続してなる。
各スラット１１ａの材質は、後述する緩衝部材４０を磁性的に吸着可能なように、例えば、鋼板等の磁性体とされる。
【００２７】
また、ガイドレール２０は、開閉体１０の幅方向端部を囲むように横断面略コ字状に形成され、前記下枠部材と収納部３０との間にわたって配設されている。
【００２８】
収納部３０は、収納ケース３１内に、開閉体１０を巻き取ったり巻き戻したりする巻取り軸３２を具備してなる（図４参照）。
この収納部３０は、巻取り軸３２を電動で双方向へ回転させるようにした態様や、巻取り軸３２を一方向へのみ電動で回転させ逆方向へは手動で回転させるようにした構成や、巻取り軸３２を双方向へ手動で回転させるようにした態様等、いずれの態様であってもよい。
【００２９】
収納ケース３１は、開閉体幅方向へわたる長尺箱状に形成され、その下端部に、開閉体１０を収納したり繰出したりするための収納口３１ａを有する。
この収納口３１ａは、開閉体１０の幅方向の略全長にわたる平面視略矩形状の貫通孔であり、その開閉体厚さ方向の寸法が、開閉体１０および該開閉体１０に装着された際の緩衝部材４０を通過させるように、適宜に設定されている。
【００３０】
緩衝部材４０は、開閉体１０の表部または裏部に対し着脱可能な着脱部４１と、同表部または同裏部から開閉体厚さ方向へ突出するように形成された弾性部４２とから一体的に構成されている。
【００３１】
着脱部４１は、粉砕された磁石をゴムに混ぜてなる所謂ゴム磁石によって略長尺帯状に形成された部材である。
この着脱部４１は、図示例によれば、その幅寸法(図５における左右方向の寸法)が開閉体１０のスラット１１ａの凹部１１ａ１（図３参照）よりも若干大きく設定されている。
また、この着脱部４１の長さ寸法は、開閉体１０のスラット１１ａの凹部１１ａ１よりも大きく、開閉体１０の表部または裏部に沿って長尺状に延設されるように設定されている。
また、この着脱部４１の他例としては、ゴム板や合成樹脂板に、上記ゴム磁石を重ね合わせて接着したものであってもよい。
【００３２】
弾性部４２は、ゴムや弾性を有する合成樹脂材料からなり、図５に示す一例によれば、開閉体１０の厚さ方向の物体に当接させるための当接部４２ａと、該当接部４２ａを支持する支持首部４２ｂと、該支持首部を支持するとともに着脱部４１に接着される基部４２ｃとからなる。
当接部４２ａは、図示例によれば、適宜な弾性が得られるように、長さ方向へわたる中空部４２ａ１を有し、その突端側の部分（図５における下端部）を略湾曲凸状に形成している。
支持首部４２ｂは、当接部４２ａよりも小さい幅に形成されることで、当接部４２ａと基部４２ｃとの間における幅方向両側に、溝部４２ｂ１，４２ｂ１を確保している。
【００３３】
したがって、上記構成の弾性部４２によれば、当接部４２ａを物体（具体的には縦枠ａ１）に当接した際の衝撃を、前記中空部４２ａ１および溝部４２ｂ１，４２ｂ１によって吸収することが可能である。
なお、他の簡素な構造例としては、中空部４２ａ１と溝部４２ｂ１，４２ｂ１との内の何れか一方を省いた構成としてもよい。更に、これら中空部４２ａ１と溝部４２ｂ１，４２ｂ１との双方を省き、弾性部４２の材質的な弾性のみによって前記衝撃を吸収するようにすることも可能である。
【００３４】
また、上記開閉装置１の設置対象である窓サッシＡは、屋外に面するように網戸ａを備え、該網戸ａよりも屋内側には、図示しない硝子戸等を有する。
網戸ａは、窓サッシＡの開口部における幅方向の片半部側（図１によれば左半部側）に設けられた状態で、当該網戸ａを構成する一方の縦枠ａ１を、窓サッシＡの開口部における幅方向の略中央に位置させている。この網戸ａは幅方向へスライド可能である。
【００３５】
次に、開閉装置１に対し緩衝部材４０を装着した際の作用効果について説明する。
上記構成の緩衝部材４０は、開閉体１０の屋内側の面に対し、例えば図２に示すように、開閉方向へわたって装着される。
この装着の際、緩衝部材４０は、窓サッシＡにおける網戸ａの一方の縦枠ａ１に対応して開閉体幅方向の位置が決められ、着脱部４１の磁力によって磁性体である開閉体１０に吸着される。
この装着態様によれば、強風等によって開閉体１０が屋内側へ撓んだ場合に、緩衝部材４０の弾性部４２が網戸ａの一方の縦枠ａ１に当接するため、開閉体１０と一方の縦枠ａ１との直接的な当接を防ぐことができる。
その上、緩衝部材４０が開閉体開閉方向へわたって配設されているため、開閉体１０の開閉体開閉方向へわたる撓みや、上下に隣り合うスラット１１ａ，１１ａ間の接続箇所で発生する摩擦音等を緩和することができる。
【００３６】
なお、強風等の発生のない通常時には、磁力により吸着されている緩衝部材４０を容易に外すことができる。したがって、緩衝部材４０によって開閉体１０の外観上の体裁が損なわれてしまったり、開閉体１０の開閉動作が妨げられてしまったりするようなことを防ぐことができる。
なお、外された緩衝部材４０は、所定の収納場所に収納し保管してもよいし、開閉装置１近くの磁性体からなる物体に吸着されて保管してもよい。また、開閉体１０の座板部材１２を鋼板等の磁性体から構成すれば、全開状態の開閉体１０の座板部材１２下端面に対し、緩衝部材４０を吸着させて保管することも可能である。
【００３７】
また、他の装着態様として、図３に示す一例が挙げられる。
この装着態様は、開閉体１０の構造を考慮して、その開閉体１０が強風により煽られた場合に、開閉体１０と網戸ａの接触を特に効果的に防ぐようにしている。
すなわち、通常、シャッター装置等の開閉装置１の開閉体１０は、上端側が巻取り軸３２に吊り下げられているが、下端側は両側がガイドレール２０，２０に嵌め込まれているだけである。したがって、閉鎖状態の開閉体１０は、強風を受けた場合、該開閉体１０の上端側よりも下端側の方が大きく煽られる。
そこで、図３に示す装着態様では、開閉体１０の下端側近傍に、開閉体幅方向へわたって緩衝部材４０を装着するようにしている。
この装着態様によれば、特に煽られることの多い開閉体１０の下端側を、緩衝部材４０を介して網戸ａの一方の縦枠ａ１に当接させるため、強風による開閉体１０の撓みやばたつきを、効果的に軽減することができる。しかも、緩衝部材４０を開閉体幅方向へわたって配設するようにしているため、網戸ａの一方の縦枠ａ１が開口部中央に位置せず幅方向へずれている場合でも、その縦枠ａ１に対し緩衝部材４０を当接させることができる。
【００３８】
その上、開閉体１０を全開させた際には、図４に示すように、巻取り軸３２に巻き取られた開閉体１０と共に、緩衝部材４０を収納ケース３１内に収納することができる。したがって、緩衝部材４０によって開閉体１０の外観上の体裁が損なわれてしまったり、開閉体１０の開閉動作が妨げられてしまったりするようなことを防ぐことができる。
【００３９】
また、上記実施の形態によれば、緩衝部材４０を開閉体１０に対し開閉体開閉方向へわたって装着した態様と、緩衝部材４０を開閉体１０に対し開閉体幅方向へわたって装着した態様について説明したが、他の装着態様として、開閉体１０に対し斜めに装着したり、図６に示すように緩衝部材４０を略Ｓ字状等の曲線状に曲げた状態で開閉体１０に装着したりすることも可能である。
特に、図６に示す装着態様によれば、開閉体１０に対し、より幅広い面積で緩衝部材４０が装着されるため、開閉体１０全体にわたる防振効果が良好である。
この装着態様にて緩衝部材４０を用いる場合には、着脱部４１を、曲げ変形させ易いように、より柔軟な材料から形成するのが好ましい。
【００４０】
なお、上記実施の形態によれば、着脱部４１を、弾性を有する磁石から構成したが、他例としては、剛性を有する磁石や、磁性を帯びた鋼材、硬質剛性樹脂材料と磁石を一体化したもの等、着脱部４１を剛性材料から構成するようにしてもよい。この構成によれば、着脱部４１の剛性によって、強風等に起因する開閉体１０の撓みやばたつきを抑制することができる。
また、着脱部４１を、制振鋼板等の制振性能を有する材料を含んだ構成とすれば、強風時における制振効果を更に向上することができる。
【００４１】
また、図２及び図３に示す一例によれば、開閉体１０がスラット１１ａの凹部１１ａ１を屋外側へ向けるように構成してあるが、他例としては、凹部１１ａ１を屋内側へ向けるようにしてもよい。この他例において緩衝部材４０が装着される際には、緩衝部材４０の着脱部４１が、凹部１１ａ１を跨ぐようにして開閉体１０に対し磁性的に吸着される。よって、この他例においても、装着性が良好であり、図２及び図３に示す一例と略同様の作用効果を奏する。
【００４２】
また、上記実施の形態によれば、着脱部４１と弾性部４２の各々を、それぞれ一体的な構成としたが、その何れか一方を複数の部材から構成してもよい。例えば、一体的な着脱部４１に対し、該着脱部４１の長手方向に並ぶ複数の部材からなる弾性部４２を一体化した構成や、複数の部材からなる着脱部４１に対し、一体的な弾性部４２を一体化した構成等とすることも可能である。
【００４３】
また、上記実施の形態によれば、一つの開閉体１０に対し一つの緩衝部材４０を備えた一例を示しているが、一つの開閉体１０に対し複数の緩衝部材４０を備えるようにしてもよい。
【図面の簡単な説明】
【００４４】
【図１】本発明に係わる緩衝部材を装着した開閉装置、及び該開閉装置を設置した窓サッシを示す横断面図である。
【図２】本発明に係わる緩衝部材の装着態様の一例を示す斜視図である。
【図３】本発明に係わる緩衝部材の装着態様の他例を示す斜視図である。
【図４】本発明に係わる緩衝部材を装着した開閉体が収納部に収納された状態を示す要部縦断面図である。
【図５】本発明に係わる緩衝部材の一例を示す横断面図である。
【図６】本発明に係わる緩衝部材の装着態様の他例を示す正面図である。
【符号の説明】
【００４５】
１：開閉装置
１０：開閉体
４０：緩衝部材
４１：着脱部
４２：弾性部
ａ：網戸（開閉体厚さ方向の物体）
【図１】
2008069560.tif 000003
【図２】
2008069560.tif 000004
【図３】
2008069560.tif 000005
【図４】
2008069560.tif 000006
【図５】
2008069560.tif 000007
【図６】
2008069560.tif 000008